(57)【要約】【課題】  レンズを所定個数、筒状の容器内に並べて収納しても、輸送時の振動等によるレンズ同士の衝突が生じないレンズ収納容器を得ること【解決手段】  レンズを複数個並べて収納する筒状の収納部と、収納部の開口部の少なくとも一部を塞ぐ蓋部材と、を有し、蓋部材は開口部から収納部内へ突出する突出部が形成され、突出部が可撓性を有してなるレンズ収納容器とする。【選択図】        図２
2006312464.tif 000002
【特許請求の範囲】
【請求項１】
レンズを複数個並べて収納する筒状の収納部と、前記収納部の開口部の少なくとも一部を塞ぐ蓋部材と、を有し、
前記蓋部材は、前記開口部から前記収納部内へ突出する突出部が形成され、前記突出部が可撓性を有してなることを特徴とするレンズ収納容器。
【請求項２】
前記突出部が弾性材料で形成されていることを特徴とする請求項１に記載のレンズ収納容器。
【請求項３】
前記蓋部材と前記突出部とが一体で形成されていることを特徴とする請求項１又は２に記載のレンズ収納容器。
【請求項４】
前記蓋部材と前記突出部が平板状に形成されていることを特徴とする請求項３に記載のレンズ収納容器。
【発明の詳細な説明】
【技術分野】
【０００１】
本発明は、レンズを配列させて収納するレンズ収納容器に関し、特にレンズ収納部からレンズの脱落を防ぐための蓋部材に関するものである。
【背景技術】
【０００２】
近年、金型加工技術及びレンズの面精度評価技術が向上し、成形により形成されたレンズが多用されるようになっている。また、この成形により形成された多数のレンズは、レンズ収納容器にまとめて収納され、このレンズ収納容器に収納された状態でレンズの保管や輸送等がおこなわれるようになっている。
【０００３】
このようなレンズ収納容器の例として、端部に凹部を形成した筒状の収納ケースと、この凹部に係合する爪を形成した蓋部材とを有するレンズ収納容器が開示されている（例えば、特許文献１参照）。
【特許文献１】特開２００２−２１１６６８号公報
【発明の開示】
【発明が解決しようとする課題】
【０００４】
上記特許文献１に記載されたレンズ収納容器は、簡単確実に着脱でき、脱落のおそれのないものである。しかしながら、特許文献１に記載されたレンズ収納容器を、樹脂材料で成形されたレンズの収納容器として用いる場合には、以下の様な問題を有している。
【０００５】
図５は、樹脂材料で成形されるレンズの一例を示す正面図である。同図（ａ）は、成形時のゲート及びランナーが付いた形状を示し、同図（ｂ）、（ｃ）はゲートカットされ、レンズとして組み込み使用される前の状態を示している。
【０００６】
同図（ａ）に示すように、樹脂材料で成形されたレンズ１０は、光学有効面１０ａの外周のフランジ部１０ｂにゲート１１が形成されているものが一般的である。なお１２はランナー部である。このような形状から、ゲートカットを行い、同図（ｂ）、（ｃ）に示すようなレンズ１０単品となる。
【０００７】
同図（ｂ）におけるレンズ１０は、ゲート１１が残存しないように、ゲートカットをフランジ部１０ｂに喰い込む位置でカットしたものである。
【０００８】
同図（ｃ）におけるレンズ１０は、フランジ部１０ｂに干渉せずに、ゲート１１の中間位置で、ゲートカットしたものである。
【０００９】
この例のように、樹脂材料で成形されたレンズは、ゲート部を切断しなくてはならないため、外形が円形とならずその一部が凸部もしくは凹部を有した形となるものが一般的である。
【００１０】
このような外形のレンズを筒状の収納部に並べて収納する場合、収納されているレンズが円周部で接するか、ゲートカット部で接するかにより、同個数であっても長手方向に必要な長さが異なり、端部に位置したレンズに位置バラツキが生じることになる。このため単なる蓋の場合には、収納部の長さに対してレンズが移動できる余裕が生じ、輸送時の振動等でレンズ同士が衝突して欠けを生じたり、破片がレンズ面等に付着し外観不良となる問題が発生する。
【００１１】
本発明は上記問題に鑑み、外形が円形とならず異形となるレンズを所定個数、筒状の容器内に並べて収納しても、輸送時の振動等によるレンズ同士の衝突が生じないレンズ収納容器を得ることを目的とするものである。
【課題を解決するための手段】
【００１２】
上記の課題は、以下の構成で解決できる。
【００１３】
１）  レンズを複数個並べて収納する筒状の収納部と、前記収納部の開口部の少なくとも一部を塞ぐ蓋部材と、を有し、前記蓋部材は、前記開口部から前記収納部内へ突出する突出部が形成され、前記突出部が可撓性を有してなることを特徴とするレンズ収納容器。
【００１４】
２）  前記突出部が弾性材料で形成されている１）のレンズ収納容器。
【００１５】
３）  前記蓋部材と前記突出部とが一体で形成されている１）又は２）のレンズ収納容器。
【００１６】
４）  前記蓋部材と前記突出部が平板状に形成されている３）のレンズ収納容器。
【発明の効果】
【００１７】
上記１）又は２）の発明によれば、可撓性を有する突出部により、収納容器内に並べられた端部に位置するレンズの位置バラツキを吸収し、常にレンズ間を接する方向に付勢することができ、輸送時の振動等によるレンズ同士の衝突が生じないレンズ収納容器を得ることが可能となる。
【００１８】
上記３）の発明によれば、蓋と突出部の機能を一部品で構成することができ、低コストの収納容器とすることができる。
【００１９】
上記４）の発明によれば、蓋部材を簡便に作成することができ、大量生産の容易な低コストの収納容器とすることができる。
【発明を実施するための最良の形態】
【００２０】
以下、実施の形態により本発明を詳しく説明するが、本発明はこれに限定されるものではない。
【００２１】
図１は、本実施の形態に係るレンズ収納容器２０の一例を示す概略図である。同図（ａ）はレンズ収容容器内部の状態を示す横断面図であり、同図（ｂ）はレンズ収容容器内部の状態を示す縦断面図である。
【００２２】
同図に示すように、レンズ収納容器２０は、レンズ１０を一列に並べ、レンズ１０の最外周に形成されたフランジ部１０ｂを相互に当接させた状態で収納する筒状の収納部２１を有している。収納部２１の両端には開口部が形成され、レンズ１０の挿脱が可能となっている。収納部２１の両端の開口部には、この開口部の少なくとも一部を塞ぐ蓋部材２２が装着され、レンズ１０の脱落が防止されるようになっている。
【００２３】
蓋部材２２のつまみ部２２ｍは、収納部２１の端面に当接して停止するストッパと、この蓋部材２２の挿脱のためのつまみを兼ねて収納部外に露出している。
【００２４】
蓋部材２２には、図示の如く、開口部から収納部２１内へ突出する可撓性の突出部２２ｐが一体的に形成され、この突出部２２ｐが収納部２１内の最端部に位置するレンズ１０のフランジ部１０ｂに当接している。また、収納部２１の内壁に当接して変形し、抜け止めとなる爪部２２ｔが４箇所に形成されている。
【００２５】
以下に、蓋部材について、より詳細に説明する。なお以下の図においては、説明の重複を避けるため、同機能部材には同符号を付与して説明する。
【００２６】
図２は、本実施の形態に係る蓋部材２２の一例を示す図である。同図は図１に示す蓋部材２２の拡大図である。
【００２７】
同図に示すように、蓋部材２２は、つまみ部２２ｍ、爪部２２ｔ及び突出部２２ｐが一体的に形成されており、突出部２２ｐはレンズ１０の配列方向に対し、傾いた棒状に形成されている。
【００２８】
この突出部２２ｐは、収納部２１内の最端部に位置するレンズ１０が実線で示す位置にある時は、突出部２２ｐはレンズ１０に当接して実線で示す状態となる。また、収納部２１内の最端部に位置するレンズ１０が破線で示す位置の場合には、破線で示すように撓んだ状態でレンズ１０に当接する。即ち、突出部２２ｐは、可撓性を有するように形成されている。
【００２９】
また、爪部２２ｔは、収納部の内壁の幅寸法より大きな幅Ｗで形成されており、突出部２２ｐ及び爪部２２ｔが収納部に挿入されたとき、図１に示したように収納部の内壁に当接して変形し、抜け止めとなる。
【００３０】
この抜け止めのための爪部２２ｔは、突出部２２ｐがレンズ１０と当接し、撓みを生じる際の反発力に対しての抜け止めであると共に、反発力により収納部２１内で傾かないように少なくとも３箇所以上に形成されていることが好ましい。
【００３１】
このため、爪部２２ｔ及び突出部２２ｐは、弾性材料で形成されていることが好ましく、例えばシリコンゴム等のゴム材、樹脂材料としては比較的柔軟なポリアセタール系のものが好ましい。
【００３２】
更に、つまみ部２２ｍ、爪部２２ｔ及び突出部２２ｐは、平板状に形成することが好ましい。平板状とすることで、平板状の材料から抜き型で形成、或いは図示のような平面形状で棒状に形成した後、所望の厚みにスライスすることで、低コストで大量に作成することができる。
【００３３】
図３は、蓋部材２２を構成する、つまみ部、爪部及び突出部の形状の他の例を示す図である。
【００３４】
同図に示す蓋部材２２は、つまみ部２２ｍ、爪部２２ｔについては図２に示すものと同様である。異なるのは、収納部内の端部に位置したレンズの位置バラツキを吸収する突出部２２ｒの形状を、くの字状に構成したものである。突出部２２ｒをこのような形状としても、突出部２２ｒの屈曲により吸収することができ、図２に示す蓋部材と同様の効果を得ることができる。
【００３５】
図４は、蓋部材２２を構成する、つまみ部、爪部及び突出部の形状のその他の例を示す図である。
【００３６】
同図に示す蓋部材２２は、爪部２２ｓを収納部２１の外側に形成したものである。収納部２１の外壁に凹部を形成し、爪部２２ｓがこの凹部に係合することで蓋部材２２が装着される。突出部２２ｐは図２に示すものと同様である。
【００３７】
この場合、突出部２２ｐとつまみ部２２ｍの間に形成された突起部２２ｑは、収納部２１の内壁間の寸法に嵌合もしくは若干の余裕を持った寸法に形成される。これは、突出部２２ｐがレンズ１０と当接し、撓みを生じる際の反発力に対して収納部２１内で傾かないようにするためのものである。
【００３８】
以上説明したように、レンズを複数個並べて収納する筒状の収納部の開口部に装着される蓋部材に収納部内へ突出する突出部を形成し、この突出部を可撓性を有するよう構成することで、収納部の端部に位置するレンズの位置バラツキを吸収し、常にレンズ間を接触させた状態とすることにより、輸送時等の振動によるレンズ同士の衝突が生じないレンズ収納容器を得ることが可能となる。
【００３９】
なお、本実施の形態においては、つまみ部、爪部及び突出部をを有する蓋部材を一体の単体部品に形成したもので説明したが、いずれかを別部品で構成し、接着、溶着等で一体化したものであっても本発明を逸脱するものでない。
【００４０】
また、つまみ部、爪部及び突出部をを有する蓋部材を平板状に形成したもので説明したが、これに限るものでないのは勿論である。
【図面の簡単な説明】
【００４１】
【図１】本実施の形態に係るレンズ収納容器の一例を示す概略図である。
【図２】本実施の形態に係る蓋部材の一例を示す図である。
【図３】蓋部材を構成する、つまみ部、爪部及び突出部の形状の他の例を示す図である。
【図４】蓋部材を構成する、つまみ部、爪部及び突出部の形状のその他の例を示す図である。
【図５】樹脂材料で成形されるレンズの一例を示す正面図である。
【符号の説明】
【００４２】
１０  レンズ
１０ａ  光学有効面（レンズ）
１０ｂ  フランジ部（レンズ）
２０  レンズ収納容器
２１  収納部
２２  蓋部材
２２ｐ  突出部（蓋部材）
２２ｔ  爪部（蓋部材）
２２ｍ  つまみ部（蓋部材）
【図１】
2006312464.tif 000003
【図２】
2006312464.tif 000004
【図３】
2006312464.tif 000005
【図４】
2006312464.tif 000006
【図５】
2006312464.tif 000007